(57)【要約】映像中間周波信号成分及び音声中間周波信号成分を含むアナログテレビジョン中間周波信号及びディジタルテレビジョン中間周波信号の双方を処理する中間周波処理装置を開示する。中間周波処理装置は、ディジタル中間周波信号又はアナログ中間周波信号を受信する中間周波信号入力端と、前記中間周波信号入力端に結合され、中間周波信号を処理する処理段と、前記処理段にて処理される信号を出力する出力端とを備える。処理段は、前記中間周波信号入力端と接続される第１のバンドパスフィルタ（１，２，３）と、前記第１のバンドパスフィルタ（１，２，３）に並列に結合される少なくとも２つの並列な処理部（４，６ａ，７，１９〜２２，３０〜４０，４２〜４５；５，６ｂ，８，１８，２３〜２９，４６）とを備え、前記処理部の各々は、同相直交処理手段（１８，２３；１９，２２）を有する。
2008529397.tif 000002
【特許請求の範囲】
【請求項１】
映像及び音声の中間周波信号成分を含むアナログ及びディジタルテレビジョンの双方の中間周波信号を処理する中間周波処理装置であって、
ディジタル又はアナログの中間周波信号を受信する中間周波信号入力端と、
前記中間周波信号入力端と結合され、中間周波信号を処理する処理段と、
前記処理段にて処理される信号を出力する出力端とを備え、
前記処理段は、前記中間周波信号入力端に接続された第１のバンドパスフィルタと、前記第１のバンドパスフィルタに並列に結合される少なくとも２つの並列な処理部とを備え、
前記処理部の各々は、同相直交処理手段を有する、中間周波処理装置。
【請求項２】
前記並列な処理部のうちの一方は、映像中間周波信号成分を処理するように適合させ、前記並列な処理部の他方は、音声中間周波信号成分を処理するように適合させる、請求項１に記載の中間周波処理装置。
【請求項３】
前記並列な処理部は、本質的に互いから独立して動作し得るようにする、請求項１に記載の中間周波処理装置。
【請求項４】
前記処理段は、前記第１のバンドパスフィルタのフィルタ特性を前記処理部にて処理する信号に適合させるように、前記第１のバンドパスフィルタを設定する設定手段を更に有する、請求項１に記載の中間周波処理装置。
【請求項５】
前記第１のバンドパスフィルタは、異なるフィルタ特性を有する複数のバンドパスフィルタを備え、前記設定手段は、前記処理部の少なくとも一方を前記第１のバンドパスフィルタの１つに選択的に接続するスイッチを備える、請求項４に記載の中間周波処理装置。
【請求項６】
前記第１のバンドパスフィルタは、各々が異なる固定のフィルタ特性を有する３つのバンドパスフィルタを備える、請求項４に記載の中間周波処理装置。
【請求項７】
前記処理部の各々は、自動利得制御部を有する、請求項１に記載の中間周波処理装置。
【請求項８】
一方の処理部の自動利得制御部は、他方の処理部の自動利得制御部とは本質的に独立して動作するように適合させる、請求項３又は７に記載の中間周波処理装置。
【請求項９】
同相直交処理手段の出力端を、自動利得制御部の入力端に接続する、請求項７に記載の中間周波処理装置。
【請求項１０】
前記第１のバンドパスフィルタの出力端は、利得制御増幅器の入力端に接続し、前記利得制御増幅器の出力端は、自動利得制御部の入力端に接続する、請求項７に記載の中間周波処理装置。
【請求項１１】
アナログ映像中間周波信号成分を処理するのに用いられる処理部は、３つの並列な経路を備え、復調のために設けられる第１経路は、前記同相直交手段を有し、キャリア再生のために設けられる第２経路は、或るキャリアに周波数及び位相検出器ループ技法によってロックさせる電圧制御発振器を有し、キャリアレベル検出のために設けられる第３経路は、包絡線検波器を有する、請求項１に記載の中間周波処理装置。
【請求項１２】
前記３つの並列な経路の入力端は、自動利得制御部によって制御される利得制御増幅器の出力端に並列に結合させる、請求項１１に記載の中間周波処理装置。
【請求項１３】
前記同相直交処理手段の出力端は、音声キャリア・トラップ部に結合するとともに、前記音声キャリア・トラップ部に並列に接続されるバイパススイッチにも結合して、前記同相直交処理手段の出力信号を、前記音声キャリア・トラップ部を介してか、又は前記バイパススイッチを介して、随意通過させるようにした、請求項１に記載の中間周波処理装置。
【請求項１４】
前記音声キャリア・トラップ部は、グループディレイ・イコライザを更に有する、請求項１３に記載の中間周波処理装置。
【請求項１５】
前記処理部の１つは、前記バンドパスフィルタの出力端に結合されたチューナ自動利得制御部を更に有し、前記チューナ自動利得制御部は、積分制御機能又は比例制御機能を随意有するように適合させる、請求項１に記載の中間周波処理装置。
【請求項１６】
アナログ音声中間周波信号成分を処理するのに用いられる処理部は、イメージ除去機能を有する周波数変換器と、位相ロックループにより映像中間周波キャリアにロックさせる第１発振信号を生成する第１発振器と、シンセサイザベースである第２発振信号を生成する第２発振器とを備え、前記周波数変換器を制御するために、前記第１発振信号又は前記第２発振信号を随意用いるようにした、請求項１に記載の中間周波処理装置。
【請求項１７】
前記周波数変換器は、同相直交乗算器を有する同相直交処理手段と、前記同相直交処理手段から出力された同相直交出力信号を処理するために受動の多層フィルタリング機能を有するイメージ除去フィルタと、前記イメージ除去フィルタが前記同相直交処理手段の入力信号のうちの前記第１発振信号又は前記第２発振信号のいずれかの周波数以上か、或いはその逆の入力信号を随意通過させるか又は除去するように、前記同相直交出力信号の極性を随意反転する側波帯選択制御部とを備える、請求項１６に記載の中間周波処理装置。
【請求項１８】
アナログ音声中間周波信号成分を処理するのに用いられる前記処理部の１つは、選択されるアナログテレビジョン音声方式の全てのキャリアを通過させるように適合させた第２のバンドパスフィルタを更に有する、請求項１に記載の中間周波処理装置。
【請求項１９】
前記第２のバンドパスフィルタは、その中心周波数をシフトさせて異なるアナログテレビジョン音声方式に用い得るように適合させる、請求項１８に記載の中間周波処理装置。
【請求項２０】
前記第２のバンドパスフィルタは、前記同相直交処理手段の出力端に結合させる、請求項１８に記載の中間周波処理装置。
【請求項２１】
アナログ音声中間周波信号成分を処理するのに用いられる前記処理部の１つは、全てのテレビジョン音声入力周波数又はＦＭラジオに随意用いられるように、モノラルアナログテレビジョンインターキャリアを通過させるように適合させた、第３の外部的な固定周波数のバンドパスフィルタを更に有する、請求項１に記載の中間周波処理装置。
【請求項２２】
前記固定周波数の第３の外部バンドパスフィルタは、前記同相直交処理手段の同相又は直交の出力端に結合させる、請求項２１に記載の中間周波処理装置。
【請求項２３】
ＤＶＢ中間周波信号処理に用いられる前記処理部の１つは、３つの動作モード間を切り換える制御部を備え、第１動作モードは、直接的な増幅を含み、第２動作モードは、前記同相直交処理手段を用いることによる低中間周波信号処理を含み、第３動作モードは、前記同相直交処理手段を用いることによりローパスフィルタリングしたＩ及びＱ出力信号を供給するゼロ中間周波数変換を含む、請求項１に記載の中間周波処理装置。
【請求項２４】
前記処理部は、前記同相直交処理手段及び第２のバンドパスフィルタに結合されたイメージ除去フィルタを更に備え、前記イメージ除去フィルタ及び前記第２のバンドパスフィルタの双方は、前記第２動作モードにてイメージ除去及び追加のバンドパスフィルタリングに用いられるように適合させる、請求項２３に記載の中間周波処理装置。
【請求項２５】
前記並列な処理部のうちの一方は、アナログテレビジョン中間周波信号を復調するように適合させ、前記並列な処理部のうちの他方は、ＤＶＢ中間周波信号を処理するように適合させる、請求項１に記載の中間周波処理装置。
【発明の詳細な説明】
【技術分野】
【０００１】
本発明は、映像中間周波信号成分及び音声中間周波信号成分を含む、アナログテレビジョン及びディジタルテレビジョン双方の中間周波信号を処理するための中間周波処理装置に関する。
【背景技術】
【０００２】
アナログテレビジョン及びディジタルテレビジョンのフロントエンド用に設計される、現在のテレビジョン受信機のコンセプトでは、中間周波数（ＩＦ）の信号を処理するために種々の機能を組み合わせる必要がある。これらのマルチアプリケーションのコンセプトは、慣例のテレビジョンアプリケーションに用い得るだけでなく、ビデオ記録及びオーディオ記録、テレビジョン／ラジオ受信用のコンピュータボード、及びカーモバイルアプリケーション用のテレビジョン受信にも用いることができ、更にＦＭラジオ受信にも用いることができる。
【０００３】
このようなフロントエンドの設計は、設計尽力の節約及び要求される性能の故に、それらの設計が異なるように特定の設計目標に適合させている。その相違点は、主に、性能及びカバーする機能に基づいている。更に、用いられる中間周波フィルタの数や集積回路の数も異なる。
【０００４】
特に、アナログテレビジョンの復調及びディジタルテレビジョンのチューニングを含むグローバルなアプリケーションに対しては、多くの異なるテレビジョン標準構成があるので、多数のフィルタ機能を必要とする。例えば、アナログテレビジョンの音声処理には、２キャリア音声方式(two carrier sound)、ＮＩＣＡＭ（Near Instantaneously Companded Multiplex）、ＦＭ（Frequency Modulation）多重化及びＡＭ（Amplitude Modulation）用の複数の多様な周波数構成がある。これには、フィルタ形状を相違させる必要があり、特にテレビジョン方式Ｌ（ＳＥＣＡＭ）は、専用のバンドパスフィルタを必要とする。
【０００５】
従来技術のカーモバイルの中間周波処理装置を、図１に示しており、これは、約３０ＭＨｚ〜４０ＭＨｚの範囲でチューニングした中間周波入力信号を処理する。この中間周波信号は、第１中間周波信号１ｓｔＩＦと称され、テレビジョンフロントエンドの一部である中間周波処理装置に入力される。このようなテレビジョンフロントエンドは、アナログテレビジョン処理用及びディジタルテレビジョン処理用の２つの機能ブロックを含む。テレビジョンフロントエンドのアナログテレビジョン処理ブロックの機能は、アナログテレビジョンの映像キャリアのＡＭ変調（ビデオ）を復調するとともに、更にＦＭモノラルテレビジョン音声又はＡＭモノラルテレビジョン音声のいずれかを復調するためのものである。それ故、この中間周波信号処理段の出力信号は、映像及びモノラルテレビジョン音声との合成信号である。更に、この中間周波信号処理段は、第２音声中間周波信号（２ｎｄ音声ＩＦ）の信号を出力し、この第２音声中間周波信号は、更なるテレビジョンステレオ音声処理（２キャリア方式、ＮＩＣＡＭ又はＦＭ多重化）用のテレビジョン方式に関連する音声キャリアを含む。更に、映像キャリア包絡線検波器の出力信号を、アンテナダイバシティ用に供給する。
【０００６】
米国特許出願第２００２／０００８７８７（Ａ１）号は、アナログテレビジョン放送及びディジタルテレビジョン放送を受信するテレビジョン受信装置を開示しており、その装置は、アナログテレビジョン放送信号及びディジタルテレビジョン放送信号の双方を受信し、受信信号から所望のキャリア周波数を有する信号を選択し、所望のキャリア周波数を有する選択した信号を中間周波信号に変換するチューナ手段と、アナログテレビジョン放送信号をビデオ信号に復調するアナログ復調手段と、ディジタルテレビジョン放送信号をベースバンド信号に復調するディジタル復調手段と、前記チューナ手段のダウンストリーム側に配置した第１フィルタ手段と、この第１フィルタ手段と前記アナログ復調手段との間に配置した第２フィルタ手段と、前記第１フィルタ手段と前記ディジタル復調手段との間に配置した第３フィルタ手段とを備えている。それ故、この慣例の装置は、アナログテレビジョンのインターキャリア音声処理を用いており、アナログ及びディジタルテレビジョン放送用のカスケードフィルタを備える。上述したアナログテレビジョンの復調は慣例のものであり、その映像及び音声処理は、例えばＴＤＡ９８０１にて行われるように現状のものである。
【０００７】
国際特許出願ＷＯ００６４１５１（Ａ１）号は、アナログ信号及びディジタル信号の双方を処理する中間周波処理装置を開示しており、その装置は、ディジタル又はアナログの中間周波信号を供給する信号源と、中間周波信号をフィルタリングするための、出力端を有する第１フィルタと、前記出力端に結合され、フィルタリングした中間周波信号を処理するためのディジタル信号処理回路と、前記出力端に結合され、フィルタリングしたアナログ信号のフィルタリングを含む、中間周波信号を処理するためのアナログ信号処理回路とを備えている。それ故、米国特許出願第２００２／０００８７８７（Ａ１）号の装置と同様に、アナログテレビジョンの復調は慣例のものであり、この装置は、アナログ及びディジタルテレビジョン放送用のカスケードフィルタを有するが、アナログテレビジョン用の擬似スプリット音声処理を用いる。
【０００８】
米国特許第６，４８３，５５３（Ｂ１）号は、アナログ放送信号並びにディジタル放送信号を受信して処理する、一体型テレビジョン受信機を開示している。この一体型テレビジョン受信機は、ユーザが選択したチャネルがディジタル放送であるのか、アナログ放送であるのかを判定するコントローラを有している。このコントローラは、選択したチャネルの局選択データ及びその判定に関する制御信号を生成する。チューナは、アンテナを介して受信した信号から、その基地局選択データを受信して、選択したチャネルに関連付けられた放送信号にチューニングする。スイッチユニットは、チューナでチューニングした放送信号を、その制御信号に応じてアナログ放送プロセッサか又はディジタル放送プロセッサに転送する。自動利得コントローラは、アナログ放送プロセッサ又はディジタル放送プロセッサのいずれかから利得信号を受信して、チューナでチューニングした放送信号の信号利得を調整し、これによりアナログ信号及びディジタル信号の双方の受信を可能とする。それ故、この慣例の受信機のコンセプトによれば、そのチューナの出力信号は、スイッチユニットを介して、アナログテレビジョン処理か又はディジタルテレビジョン処理のいずれかに用いられる２つの別々の枝路へと分岐される。
【０００９】
米国特許第６，５０１，５１０（Ｂ１）号は、アナログ放送信号及びディジタル放送信号を受信し、且つディジタル放送信号処理及びアナログ放送信号処理に共通に用いられる信号処理ブロックを切り換えることにより、ビデオ／オーディオ信号を処理可能とするディジタル／アナログ放送信号処理ユニットを開示している。ディジタル／アナログ放送信号処理ユニットは、チューナによってチューニングしたディジタル放送信号を復調し、この復調したディジタル放送信号をビデオ信号及びオーディオ信号に逆多重化し、ビデオ信号及びオーディオ信号を復号するディジタル放送信号プロセッサを有している。チューナによってチューニングしたアナログ放送信号をアナログビデオ信号及びアナログオーディオ信号に逆多重化し、ビデオ信号及びオーディオ信号を復調するアナログ放送信号復調器が設けられている。オーディオ切換ユニットは、ディジタル放送信号プロセッサ及びアナログ放送信号復調器のうち少なくとも一方から出力されたオーディオ信号を受信し、一方の入力信号を選択する。ビデオ切換ユニットは、ディジタル放送信号プロセッサ及びアナログ放送信号復調器のうちの少なくとも１つから出力されたビデオ信号を受信し、１つの入力信号を選択する。オーディオ切換ユニットからの出力信号を受信し、そのオーディオ信号の特性を補償し、補償したオーディオ信号をスピーカで出力するオーディオ信号処理ブロックが設けられている。ビデオ切換ユニットの出力信号を受信し、そのビデオ信号の特性を補償し、この補償したビデオ信号を出力するビデオ信号処理ブロックが設けられている。ディジタル／アナログ放送信号処理ユニットは、更に、ディジタル放送信号が受信されるか否かを判定し、ディジタル放送信号の有無に従ってオーディオ切換ユニット及びビデオ切換ユニットのうちの一方の信号を選択する第１切換制御信号及び第２切換制御信号のうちの１つを生成するコントローラと、このコントローラに接続される、ユーザのキー入力による選択部を有している。それ故、この慣例の処理ユニットのコンセプトは、アナログ兼ディジタルテレビジョン用に別々のチューナ解決策を用いることにある。
【００１０】
米国特許第６，１６６，７７６（Ａ）号は、複数の放送方式から受信した信号を復調するマルチ受信復調器を開示している。このマルチ受信復調器は、受信した信号の放送方式に対応するカラーサブキャリアを得るために、第１制御信号に従って、チューナからの中間周波出力を選択的にバンドパスフィルタリングする第１のバンドパスフィルタと、受信した信号の放送方式に対応するオーディオキャリアを得るために、第２制御信号に従って、チューナからの中間周波出力を選択的にバンドパスフィルタリングする第２のバンドパスフィルタとを備える。ビデオ復調部は、第１のバンドパスフィルタからのカラーサブキャリアを受信し、第１制御信号に従って、受信した信号の放送方式に対応するビデオ信号を選択的に復調する。オーディオ復調部は、第２のバンドパスフィルタからのオーディオキャリアを受信し、第２制御信号に従って、受信した信号の放送方式に対応するオーディオ信号を選択的に復調する。コントローラは、電源周波数及びチャネル選択データを検出し、その検出した電源周波数及びチャネル制御信号に従って、第１制御信号及び第２制御信号を第１のバンドパスフィルタ、第２のバンドパスフィルタ、ビデオ復調部及びオーディオ復調部に供給する。この従来技術は、マルチ標準テレビジョン中間周波信号処理として現状のアナログテレビジョンコンセプトを扱っており、例えばＴＤＡ３８４２及びＴＤＡ３８５６／６６のように１９８８年頃に用いられ、或いは、例えばＴＤＡ２５４１及びＴＤＡ２５４５のように１９７８年頃でさえ部分的に用いられている。更に、この慣例の装置は、ビデオ及びオーディオの分岐のための大規模なフィルタ切り換えをも用いている。
【発明の開示】
【発明が解決しようとする課題】
【００１１】
前述から明らかなように、慣例の方式は、大多数の異なるアプリケーション特有のフィルタ及び関連した切換回路を用いる。しかしながら、アナログテレビジョン及びディジタルテレビジョン用の大多数の異なるフィルタ及び関連した切換回路の構成の故に、その装置の構造を極めて複雑化し、より高い生産コストを生じさせる。
【００１２】
本発明の目的は、従来技術の欠点、特にフィルタ及び関連した切換部の大規模な使用を避けることにある。
【課題を解決するための手段】
【００１３】
前述及び更なる目的を達成するために、本発明によれば、中間周波処理装置を提供するものとし、映像中間周波信号成分及び音声中間周波信号成分を含むアナログテレビジョン中間周波信号及びディジタルテレビジョン中間周波信号の双方を処理する中間周波処理装置は、ディジタル中間周波信号又はアナログ中間周波信号を受信する中間周波信号入力端と、前記中間周波信号入力端に結合され、中間周波信号を処理する処理段と、前記処理段で処理した信号を出力する出力端とを備え、前記処理段は、前記中間周波信号入力端に接続される第１のバンドパスフィルタと、前記第１のバンドパスフィルタに並列に結合される少なくとも２つの並列な処理部とを備え、前記並列な処理部の各々が同相直交処理手段を有している。
【００１４】
本発明によるアーキテクチャは、アナログテレビジョン及びディジタルテレビジョン用に、（ウィンドウのような周波数応答形状を有するフラット・バンドパスフィルタにより）第１のバンドパスフィルタの共用を可能とする。これは、第１のバンドパスフィルタを入力側に置き、第１のバンドパスフィルタに並列に結合される少なくとも２つの並列な処理部を設け、並列な処理部の各々が第１のバンドパスフィルタを共有した方法で使用することにより達成される。そして、並列な処理部の各々は同相直交処理手段を有している。それ故、並列な処理部は別々の信号処理チェーンを規定し、その同相直交処理の実現例は、とりわけアナログテレビジョン用には、慣例のコンセプトにて用いられるような表面弾性波フィルタのナイキスト形状の必要性を取って替えるように、アナログテレビジョン信号を復調し、更にはディジタルテレビジョン用のディジタル中間周波信号処理に追加バンドパスフィルタリングを用いる。更に、そのディジタル中間周波信号は、ディジタルビデオ放送（ＤＶＢ）用に用いられる外部チャネルデコーダの全てに互換性を持たせるために、全ての既知の中間周波数モードに設定することができる。
【００１５】
統合フィルタ技法及び機能ブロックの共有化の故に、設計の尽力が低減するだけでなく、集積回路内のより高い集積度を達成するように、必要とされる回路基板スペースも減少させることができる。特に、アナログテレビジョン及びディジタルテレビジョン用に第１のバンドパスフィルタを共用化する故に、高い経済性を達成する。更に、外部コンポーネントのカスタム使用により、必要とされるアプリケーション分野に対して、より優れた性能適合性が可能となる。
【００１６】
これにより、本発明は、ディジタルテレビジョン受信機及びアナログテレビジョン受信機に対して簡素化したアプリケーション（特に“プラグアンドプレイ”）、製品のトータルコストの低減及びより高い柔軟性を生じさせるとともに、共通の第１のバンドパスフィルタを用いることによって、ワールドワイドのアナログテレビジョン中間周波数規格、ワールドワイドのＤＶＢ規格及びＦＭラジオの全てをサポートする、真のグローバルテレビジョン中間周波信号処理を提供する。
【００１７】
更なる有利な実施例は、独立請求項にて規定される。
【００１８】
特に、前記並列な処理部の一方は映像中間周波信号成分を処理するように適合させ、前記並列な処理部の他方は音声中間周波信号成分を処理するように適合させる。
【００１９】
並列な処理部は、それぞれ独立の信号処理チェーンを規定するために、互いに本質的に独立して動作するように設ける必要がある。
【００２０】
好適な実施例では、前記処理段は、前記第１のバンドパスフィルタのフィルタ特性を前記並列な処理部の信号処理に適合させるように、前記第１のバンドパスフィルタを設定する設定手段を更に有する。
【００２１】
例えば、ディジタルテレビジョン方式の中間周波信号処理は、第１のバンドパスフィルタとして、振幅特性であるフィルタ特性と、所望のテレビジョンチャネル帯域幅での通過帯域におけるフラット・グループディレイ及び所望のチャネル以外の信号の抑制とを必要とする。そのようなバンドパスフィルタ形状は、周波数上のウィンドウのようなものであり、それ故、“ウィンドウフィルタ”と称される。本発明のコンセプトは、アナログテレビジョン処理及びディジタルテレビジョン処理の双方のために、そのようなフィルタ特性を使用する。グローバル使用のフロントエンド設計の場合に、最小フィルタ帯域幅は、例えばＡＴＳＣ（Advanced Television Systems Committee−ディジタルテレビジョンの米国規格）用の約６ＭＨｚであり、それは全てのアナログテレビジョン方式用の映像キャリア復調に用いることができる。従って、アナログ及びディジタルテレビジョン方式用に多様のアプリケーション特有のフィルタを用いる従来技術のコンセプトの欠点は、本発明による第１のバンドパスフィルタの共用によって解消されている。
【００２２】
前述の実施例の変形例によれば、前記第１のバンドパスフィルタは、異なるフィルタ特性を有する複数のバンドパスフィルタを備え、前記設定手段は、少なくとも１つの前記処理部を前記バンドパスフィルタの１つに選択的に接続するスイッチを備え、特に、前記第１のバンドパスフィルタは、異なる固定フィルタ特性を各々有する３つのバンドパスフィルタを備える。それ故、そのスイッチは、その処理部の信号処理チェーンに対するフィルタの個別割り当てのために設けられる。第１のバンドパスフィルタの３つの固定入力フィルタのみを用いることにより、ワールドワイドのアナログテレビジョン中間周波数規格及びワールドワイドのＤＶＢ規格及びＦＭラジオの全てを本質的にサポートすることは確かめられている。
【００２３】
好適には、前記処理部の各々は、自動利得制御部を有し、一方の処理部の自動利得制御部は、他方の処理部の自動利得制御部から本質的に独立して動作するように適合させることができる。それ故、別々の利得制御増幅器及び、アナログ映像中間周波数及び音声中間周波数／ディジタル周波数のための更なる個別の変換の構成は、映像中間周波数／音声中間周波数の自動利得制御方式における異なるフィルタ形状、帯域幅及び個別のスプリットの使用を可能とする。
【００２４】
同相直交処理手段の出力端を自動利得制御部の入力端に接続することができ、それは、特にアナログテレビジョン方式用に好適であり、ＡＭラジオ用にも好適である。
【００２５】
前記第１のバンドパスフィルタの出力端を自動利得制御部の入力端に接続することができ、且つ、前記利得制御増幅器の出力端を自動利得制御部の入力端に接続することができる。それは、特にＦＭラジオ用に好適である。
【００２６】
従って、アナログテレビジョン音声用に、独立して動作する２つの自動利得制御ループを構成することができる。第１利得制御ループは、第１のバンドパスフィルタの信号帯域幅に基づくものとし、第２音声インターキャリア変換の後の第２利得制御ループは、モノラルＦＭ音声レベルのみに基づくものとすることができる。第２利得制御ループを通過させた後、全ての音声キャリアをレベル制御して出力用バッファステージへと通過させる。出力用バッファステージは、音声及びステレオ復号用の別々の装置に接続することができる。
【００２７】
更なる好適な実施例では、アナログ映像中間周波信号成分を処理するのに用いられる処理部は、３つの並列な経路を有し、復調のために設けられる第１経路は、前記同相直交処理手段を有し、キャリア再生のために設けられる第２経路は、周波数及び位相検波器のループ技法によって、あるキャリアにロックさせる電圧制御発振器を有し、キャリアのレベル検出のために設けられる第３経路は、包絡線検波器を有する。
【００２８】
上述した実施例の変形例によれば、前記３つの並列な経路の入力端を、自動利得制御部によって制御される利得制御増幅器の出力端に並列に結合させる。
【００２９】
更なる好適な実施例では、前記同相直交処理手段の出力端は、音声キャリア・トラップ部に結合するとともに、更に、前記音声キャリア・トラップ部に並列に接続されるバイパススイッチに結合させ、随意前記音声キャリア・トラップ部又はバイパススイッチを介して、前記同相直交処理手段の出力信号を通過させるようにし、ここで前記音声キャリア・トラップ部は、更に、グループディレイ・イコライザを有することができる。それ故、この実施例は、第１のバンドパスフィルタのフラット・グループディレイ応答及びテレビジョン送信器のグループディレイの前補正を容認して、全フラット・グループディレイ応答のためのテレビジョン規格に応じたイコライジング処理と組み合わせた、テレビジョン規格に応じた切換可能な音声キャリア・トラップ部のフィルタリングを使用する。
【００３０】
更なる好適な実施例では、前記処理部の１つは、更に、前記バンドパスフィルタの出力端に結合されるチューナ自動利得制御部を有し、前記チューナ自動利得制御部は、積分制御機能又は比例制御機能を随意有するように適合させている。それ故、積分制御ループ又は比例制御ループをチューナ自動利得制御ループに用いることができ、その際、必要とされる復調モードに従って、チューナ自動利得制御部のための出力スイッチ手段を設けることができる。
【００３１】
また更なる好適な実施例では、アナログ音声中間周波信号成分を処理するために用いられる処理部は、イメージ除去機能を有する周波数変換器、位相ロックループによって映像中間周波キャリアにロックさせる、第１発振信号を発生する第１発振器及び、シンセサイザベースである、第２発振信号を発生する第２発振器を備え、前記周波数変換器を制御する第１発振信号又は第２発振信号を随意用いるようにする。
【００３２】
上記の実施例の変形例によれば、前記周波数変換器は、同相直交乗算器を有する同相直交処理手段と、前記同相直交処理手段から出力される同相直交出力信号を処理するための受動の多層フィルタリング機能を有するイメージ除去フィルタと、前記イメージ除去フィルタが前記同相直交処理手段の入力信号のうちの前記第１発振信号又は前記第２発振信号のいずれかの周波数以上か、或いはその逆の入力信号を随意通過させるか又は除去するように、前記同相直交出力信号の極性を随意反転する側波帯選択制御部とを備える。それ故、周波数変換をイメージ除去とともに用い、それは、映像中間周波キャリアにロックさせるＰＬＬ（位相ロックループ）である発振信号を用いるか又は、シンセサイザベースの別の発振信号を用いることにより行なうことができる。
【００３３】
更なる好適な実施例では、アナログ音声中間周波信号成分を処理するために用いられる前記処理部の１つは、選択されるアナログテレビジョン音声方式の全てのキャリアを通過させるように適合させた第２のバンドパスフィルタを有し、前記第２のバンドパスフィルタは、異なるアナログテレビジョン音声方式に用いられるように、その中心周波数をシフトさせることができるように適合させることができ、及び／又は前記第２のバンドパスフィルタは、前記同相直交処理手段の出力端に結合させることができる。それ故、第２のバンドパスフィルタは、第２アナログテレビジョン・インターキャリア・音声・バンドパスフィルタリング用に用いられ、好適に、この音声・バンドパスフィルタの帯域幅を約１ＭＨｚにすることができるため、選択されるアナログテレビジョン音声方式（２キャリア音声方式又はＮＩＣＡＭ）の全てのキャリアを通過させることができる。
【００３４】
更に、外部的な固定周波数の音声・バンドパスフィルタは、第２音声変換用のシンセサイザを用いることによって、全てのテレビジョン音声入力周波数又はＦＭラジオ用に随意用いることができる、第２モノラルアナログテレビジョン・音声・インターキャリア・フィルタリングのために設けることができる。
【００３５】
好適には、ＡＭ音声復調の場合には、第１のバンドパスフィルタの選択性に加え、更なる選択性が、イメージ除去フィルタ及び追加のバンドパスフィルタにより、或いは又、外部バンドパスフィルタにより提供され、更には単独型の自動利得制御方式を、平均ＡＭ音声キャリアレベルのみに基づいて、ＡＭ音声用に提供する。
【００３６】
更なる好適な実施例では、ＤＶＢ中間周波信号処理に用いられる前記処理部の１つは、３つの動作モード間の切り換えを行なう制御部を備え、第１動作モードは、直接的な増幅を含み、第２動作モードは、前記同相直交処理手段を用いることによる低中間周波信号処理を含み、第３動作モードは、前記同相直交処理手段を用いることによってローパスフィルタリングしたＩ及びＱの出力信号を供給するゼロ中間周波数変換処理を含む。それ故、このコンセプトは、チャネルデコーダの現在知られる全てのインタフェースを機能させる。
【００３７】
前述のまた更に好適な実施例によれば、前記処理部は、更に、前記同相直交処理手段に結合されるイメージ除去フィルタと第２のバンドパスフィルタとを備え、前記イメージ除去フィルタ及び前記第２のバンドパスフィルタの手段の双方は、前記第２動作モードにおけるイメージ除去処理及び追加バンドパスフィルタリングに用いるように適合させる。
【００３８】
また更に好適な実施例によれば、前記並列な処理部の一方は、アナログテレビジョン中間周波信号を復調するように適合させており、前記並列な処理部の他方は、ＤＶＢ中間周波信号を処理するように適合させている。それ故、本発明のコンセプトは、アナログテレビジョン復調部分及びＴＶＢ中間周波数部分の並列処理を可能とする“デュアルモード”の使用を可能とする。これは、チューニングしたチャネルの適用される伝送方式の検出を再び可能とし、その検出の後に、“デュアルモード”を検出して適用される伝送方式モードに切り換える。
【００３９】
これにより、本発明のコンセプトは、更なるステレオ音声処理のために、標準の合成ビデオブランク信号出力、標準のモノラルオーディオ出力及び第２音声インターキャリア信号出力を有するアナログテレビジョンをサポートし、その際、統合した隣接音声の選択性は、ハイブリッド構造のチューナ帯域幅構成をサポートすることができ、その上、更にモノラルＦＭラジオを含めてサポートすることができる。
【００４０】
本発明の前述の目的及び他の態様は、以下の説明及び図面によって十分に理解されるであろう。
【発明を実施するための最良の形態】
【００４１】
本発明の好適な実施例を、図面を参照して説明する。
【００４２】
図２は、本発明の好適な実施例による、映像中間周波信号成分及び音声中間周波信号成分を含む、アナログテレビジョン及びディジタルテレビジョン双方の信号を処理するための中間周波処理装置の基本的な概略ブロック図を示している。図３は、より詳細に、本装置の集積回路実現例の回路図を示している。
【００４３】
アンテナ（図示せず）からのＲＦ（無線周波）入力信号は、チューナにより増幅されて、（約３０ＭＨｚ〜４０ＭＨｚの）第１中間周波数（ＩＦ）に変換される。この第１中間周波信号 １ｓｔＩＦを、ＳＡＷ（表面弾性波）フィルタ１〜３に供給する。
【００４４】
慣例のアナログＴＶ（テレビジョン）受信の場合には、ＩＦ信号を音声処理部と映像処理部とに分ける。音声処理部は、ＳＩＦ（音声中間周波数）／ＤＩＦ（ディジタル中間周波数）／ＦＭラジオ・スイッチ４によって選択され、ダブルバンドパスフィルタ１によりフィルタリングした入力（例えば、方式“Ｍ”を除く全てのアナログ界の規格用）又は、例えば６ＭＨｚバンドパスフィルタ２を介しての方式“Ｍ”の音声用の入力を得ることができる。ＶＩＦ（映像中間周波）スイッチは、映像部も選択する。６ＭＨｚバンドパスフィルタ２は、アナログＴＶ界の規格の全てのビデオ復調用に設けられる。
【００４５】
ＦＭラジオ受信の場合には、ＩＦ信号を、ＳＩＦ／ＤＩＦ／ＦＭラジオ・スイッチ４を介して信号処理部に通過させる。ＦＭラジオには、ＴＶ音声用のダブルバンドパスフィルタ１の小帯域幅部分、又は例えば６ＭＨｚバンドパスフィルタ２又は８ＭＨｚバンドパスフィルタ３を用いることができる。ＶＩＦスイッチ５は、チューナの利得制御用のものと同一のフィルタ又は別のフィルタを選択するように設けられる。
【００４６】
ＤＶＢ（ディジタルビデオ放送）受信の場合には、ＳＩＦ／ＤＩＦ／ＦＭラジオ・スイッチ４は、ＩＳＤＢ（Integrated Services Digital Broadcasting−日本におけるディジタルテレビジョンの規格）又はＡＴＳＣ（Advanced Television Systems Committee−米国又は韓国のディジタルテレビジョンの規格）に用いられる６ＭＨｚの帯域幅、又は欧州のＤＶＢ方式に関する８ＭＨｚ帯域幅を選択する。このアーキテクチャの統合フィルタリング又はチャネル復号化の統合フィルタリングを用いることは、７ＭＨｚ帯域幅の方式の場合の、ＤＶＢ規格用に８ＭＨｚ帯域幅入力を用いることも可能にする。
【００４７】
アナログＴＶ映像復調の場合には、ＶＩＦスイッチ５からの信号を、利得制御増幅器６ｂに通過させる。ＶＩＦ ＡＧＣ回路８で行われる自動利得制御部（ＡＧＣ）によって、この増幅器６ｂの映像キャリア出力レベルを、一定の振幅に制御する。そして、利得制御増幅器６ｂの出力を、３つの経路に分ける。
【００４８】
第１経路は、キャリアレベル検出に用いられる。この経路信号は、包絡線検波器２７に供給される。この包絡線検波器２７は、アンテナダイバシティに用いることができ、例えば映像キャリアのバックポーチで超速ダイバシティスキャンをサポートする。包絡線検波器２７の出力信号は、出力負荷（図示せず）を駆動する出力用バッファ５０に供給させる。
【００４９】
第２経路は、回路１７でのキャリア再生に用いられる。この回路１７は、周波数及び位相の検出ループ制御技法によって、供給される映像キャリアにロックさせる電圧制御発振器（ＶＣＯ）のＶＣＯ１（詳細には図示せず）を含む。広レンジの映像キャリア周波数に対処するために、回路１７での周波数及び位相検出ループ（詳細には図示せず）に加えて、ディジタル制御ループも設けられる。このディジタル制御ループは、カウンタ技法によるＶＣＯ１周波数測定に基づくものであり、カウンタ（詳細には図示せず）が回路１７に設けられるとともに、ＶＣＯ１が供給される映像キャリアにロックされる場合に、映像キャリア周波数情報を提供する。この周波数情報は、適切な出力フォーマットに変換され、その情報は、自動周波数制御（ＡＦＣ）用にディジタルフォーマットでのＩＩＣバスインタフェースに供給されるか、又はディジタルからアナログに変換して、ＡＦＣ／ＡＧＣスイッチ４９を介して出力用バッファ４７に供給される。
【００５０】
第３経路は、復調に用いられる。乗算器回路１８における２つの整合させた乗算器は、ＶＩＦ入力信号の復調に用いられる。供給されるＶＩＦ入力信号は、回路１７のキャリア再生ループからのＶＣＯ１信号と乗算される。第１乗算器は、映像キャリアに対する位相同期状態（同相）でＶＣＯ１信号を用い、第２乗算器の場合にはは、ＶＣＯ１信号を映像キャリアに対して９０°シフトする（直交）。乗算器の出力は、いわゆるＩ（同相）信号及びＱ（直交）信号である。これらの出力信号は、同相直交プロセッサ２３に供給される。そこで、それらの信号は、映像ＩＦ信号をＡＭ変調（振幅変調）した残留側波帯の両側波帯部分及び単側波帯部分を組み合わせるように処理される。これは、通過させるための所望の側波帯を得て、不所望な側波帯を抑制するように、位相シフトによりＩ信号及びＱ信号を加算して行うか、又は、多層フィルタリングによって行うことができる。同相直交処理は、ＶＩＦ復調に用いられる乗算器の前段で、現状のナイキストフィルタリング（ＳＡＷフィルタにより行われる）に取って代わるものである。従って、同相直交処理を用いることにより、入力フィルタは、アナログＴＶ復調にも使用する、ディジタルビデオ放送（ＤＶＢ）用に必要とされるようなフラットな帯域通過特性を有することができる。
【００５１】
同相直交処理は、不所望な側波帯に現れる不所望な信号を追加的に抑制する。このような側波帯の抑制によって、ＳＡＷフィルタの高いストップバンド要件を低減させることができる。これは、ＳＡＷフィルタ設計のための尽力を削減し、現状のチューナ構成に用いられるような追加のノッチフィルタ（例えば、Ｌ／Ｃ回路）を不要にする。
【００５２】
乗算器回路１８のＱ出力は、極性で切り換えることができる。側波帯選択スイッチ（図示せず）によって生成される信号入力４１は、Ｑ出力極性の反転を随意制御することができる。この反転によって、同相直交処理は、復調用の上部単側波帯又は下部単側波帯を選択し、即ち抑制する不所望な側波帯を選択する。この切り換え機能は、特定のテレビジョン規格（仏国で用いられるＴＶ方式のＬバンドＩ）を扱うのに必要とされる。
【００５３】
同相直交プロセッサ２３の出力信号は、ＶＩＦ ＡＧＣ回路８の自動利得制御機能の入力に用いられる。このアナログＴＶ用の制御回路は、映像キャリアレベル検出のために、復調した映像信号の強さを用いる。このレベル情報は、積分制御ループの入力になる。この制御ループの出力は、ＶＩＦ ＡＧＣ回路８によって制御される増幅器６ｂの利得を変更する制御信号である。利得変更は、特定の映像レベルが同相直交プロセッサ２３の出力に現れるときに終了する。
【００５４】
同相直交プロセッサ２３の利得制御出力信号は、トラップ部バイパススイッチ２９を介して映像出力用バッファ４６に通過させるか又は、音声キャリア・トラップ部２４に通過させる。バイパススイッチ２９は、ユーザ特有のアプリケーション用に用いることができる。
【００５５】
音声キャリア・トラップ部２４は、復調映像信号に重畳されるアナログＴＶ音声キャリアを除去する。その重畳された音声キャリアは、使用するＴＶ規格及び使用するＳＡＷフィルタの帯域幅に依存して、極めて強いレベルとなり得る。従って、トラップフィルタのノッチは、極めて正確にする必要があるとともに、周波数で切換可能とする必要がある。これは、シンセサイザ兼ＶＣＯ３のブロック２６によって行われ、且つ制御される。更に、グループディレイ・イコライザ２５を、アナログＴＶ規格に応じた特性を用いる音声キャリア・トラップ部２４に接続する。このイコライザ２５は、入力ＳＡＷフィルタのフラット・グループディレイ応答、アナログＴＶ規格に応じた送信機のグループディレイ前補正、及び音声キャリア・トラップ部２４のノッチ特性のグループディレイを考慮に入れる。イコライザ２５の出力は、全フラット・グループディレイ特性を有する。フラット・グループディレイ特性は、最適なパルス応答、カラー過渡性能及びクロミナンス／輝度性能を提供する。トラップ部バイパススイッチ２９を介してフィルタリングした映像信号は、信号出力として映像出力用バッファ４６に供給される。
【００５６】
第１のＩＦ信号（ＳＡＷフィルタ入力信号）は、チューナの高入力信号の場合に利得制御する。この利得変更は、チューナの可変利得（図示せず）によって行われ、図３に示す２つの利用可能な検出回路のうち１つによって制御される。
【００５７】
チューナＡＧＣ１検出器１０によるか、又はチューナＡＧＣ２検出器１１によって、チューナの利得制御を行うことができる。ＡＧＣの選択は、チューナＡＧＣスイッチ１２により行なうことができる。
【００５８】
チューナＡＧＣ１の制御の場合には、ＶＩＦスイッチ５の出力信号は、調整可能な利得増幅器９の入力端に供給される。チューナＡＧＣ１は、ディジタルＤＶＢ ＩＦ、ＦＭラジオ、及びアナログＴＶ用に負変調したＶＩＦ信号の場合にチューナＡＧＣを制御するのに用いるのが好適である。ＴＯＰ（テイクオーバーポイント）１の調整素子１５は、チューナＡＧＣ１の利得制御の開始レベルを設定する。チューナＡＧＣ１検出器１０は、外部的なチューナＡＧＣコンデンサ１４を用いることによってチューナＡＧＣ電圧に変換されるシンク電流又はソース電流を生成する。
【００５９】
チューナＡＧＣ２制御の場合には、ＶＩＦ ＡＧＣ検出器８から出力されるＶＩＦ自動利得制御電圧は、比例動作するチューナＡＧＣ２検出器１１に供給される。ＡＧＣ２ループは、極めて高い時定数を必要とし、この時定数は、ＡＧＣ２検出器１１に接続される外部コンデンサ１３によって達成される。チューナＡＧＣ２の開始レベルは、ＴＯＰ（テイクオーバーポイント）２調整素子１６によって調整される。チューナＡＧＣ２検出器１１の出力は電圧源の機能を有するため、チューナＡＧＣの出力端におけるコンデンサ１４は利得制御で生成された出力電圧に直接追従し、利得制御における追加の遅延には寄与しなくなる。従って、その時定数はコンデンサ１３のみによって決定される。チューナＡＧＣ２のループは、アナログＴＶ方式Ｌ（仏国）用に用いるのが好適である。それは、予測不能に発生する映像ピークキャリアと組み合わされる高いＡＭ音声キャリアが、チューナＡＧＣ１の積分ループを用いる時に、悪影響を及ぼすかもしれないからである。
【００６０】
アナログＴＶ音声処理の場合には、フィルタリングした音声キャリア信号を、ＳＩＦ／ＤＩＦ／ＦＭラジオ・スイッチ４によって選択し、可変利得増幅器６ａにより処理する。ＦＭ変調した音声キャリアの場合には、その出力レベルを、レベル検出及び自動利得制御用のＳＩＦ ＡＧＣ回路７に供給する。可変利得増幅器６ａのピーク出力レベルに基づいて、その出力を、ＳＩＦ ＡＧＣ回路７によって特定の目標レベルに設定する。従って、可変利得増幅器６ａの出力は、オーバードライブに対して保護され、且つ使用するＳＡＷ入力フィルタに基づいており、音声復調の最も良いレベル状態を自動的に選択する。
【００６１】
音声変換の場合には、乗算器回路１９に含まれる２つの整合したＳＩＦ乗算器が用いられる。供給されるＳＩＦ入力信号は、回路１７のキャリア再生ループからのＶＣＯ１信号で乗算されるか又は、シンセサイザ２１のＶＣＯ２信号で乗算する。ＱＳＳ（擬似のスプリット音声）／ＴＳＳ（真のスプリット音声）・スイッチ２０により、異なるＶＣＯ信号の選択を行う。第１乗算器は、選択されたＶＣＯ１信号又はＶＣＯ２信号を用い、第２乗算器は、９０°位相シフトによる選択されたＶＣＯ１信号又はＶＣＯ２信号を用いる。ＶＣＯ１の０°及び９０°を有するＶＩＦ復調部の出力に従って、乗算器回路１９のＳＩＦ乗算器からの出力信号は、それぞれＩ出力信号及びＱ出力信号と称される。これらＩ／Ｑ出力信号を、イメージ除去フィルタ２２に供給し、受動の多層フィルタリングによって処理する。側波帯選択スイッチ（図示せず）によって生成される入力信号４０は、乗算器回路１９のＳＩＦ乗算器からのＱ出力の極性の反転を随意制御できる。この側波帯選択スイッチ信号入力４０に依存して、イメージ除去フィルタ２２は、ＳＩＦ乗算器からの出力信号を通過又は除去する。その出力信号は、前述のＶＣＯ１又はＶＣＯ２周波数のいずれかの周波数以上の信号か、或いはその逆の信号である。
【００６２】
このイメージ除去フィルタリングの故に、ＳＩＦ入力スペクトラムの一部を、既にフィルタリングさせている。例えば、ダブルバンドパスＳＡＷフィルタ１が用いられる場合には、２つの帯域通過のうちの１つを除去し、１つの帯域通過のみを有効とする。
【００６３】
イメージ除去フィルタ２２からの出力信号ＩＲ−Ｉ及びＩＲ−Ｑを、バンドパスフィルタ入力スイッチ３０及び３１を介して多層バンドパスフィルタ３６に通過させる。アナログＴＶ音声の場合には、このバンドパスフィルタ３６は、ＩＣ ＰＰ ＢＰモード（インターキャリア・多層バンドパス）で動作し、受信したアナログＴＶ規格に従う通過帯域特性を提供する。従って、この通過帯域の帯域幅は、２つのキャリアＴＶ音声方式及びＮＩＣＡＭ伝送を含む全てのアナログＴＶ界の規格用に、約１ＭＨｚである。ストップバンドは、異なるＴＶ規格用のカラーキャリア抑制に適合させる。
【００６４】
バンドパスフィルタの中心周波数は、チューニング可能である。ＴＶ規格関連のロジックスイッチ制御（図示せず）は、規格に応じたバンドパスフィルタ中心周波数を設定する。シンセサイザ兼ＶＣＯ３回路２６によって生成されるシンセサイザベースの基準信号は、帯域通過の中心周波数を必要とされる確度にチューニングする。
【００６５】
バンドパスフィルタ３６の出力は、出力Ｂ用セレクタ３９又モノラル音声入力セレクタ３３に供給される。これらセレクタ３３，３９は、スイッチロジック（図示せず）によって設定される。アナログＴＶ音声用の多くの有用な組み合わせのうち１つは、バンドパスフィルタ３６の出力信号を、モノラル音声入力セレクタ３３を介してモノラル音声復調器３２に通過させることである。
【００６６】
イメージ除去フィルタ２２から出力されるＩＲ−Ｉ信号は、バンドパスフィルタ入力スイッチ３０によって選択され、固定利得増幅器３５を介して外部デバイスによるモノラル音声フィルタリング用の出力ステージに付加的に分けられる。これは、例えばモノラル音声キャリアのみのための帯域通過特性を有する固体セラミック・バンドパスフィルタ３４とできる。例えばシンセサイザ兼ＶＣＯ２回路２１が第２音声変換に用いられるときに、この任意のバンドパスフィルタを用いることができる。この任意のフィルタリングは、高い音声選択性が要求されるアプリケーション用にする。シンセサイザ兼ＶＣＯ２回路２１を用いることは、１つの固体外部フィルタデバイスの使用を可能とする。なぜなら、ＳＩＦ／ＤＩＦ／ＦＭラジオ・スイッチ４の出力での異なる音声キャリア入力周波数を、シンセサイザ兼ＶＣＯ２回路２１の適合させた周波数によって、外部フィルタデバイスの中心周波数に補正することができるからである。シンセサイザを、固定周波数を有する外部フィルタデバイスに適合させるのに、５００ｋＨｚの最低周波数ステップが必要である。このためのアプリケーション例は、ＦＭラジオ又は車両用アナログＴＶ、又は高いＭＰＸ（多重化）選択性を有するアナログＴＶ方式Ｍである。
【００６７】
ＦＭ音声を有するアナログＴＶ方式の場合には、供給されるＦＭキャリアは、回路３２に含まれる狭帯域のＰＬＬベースのＦＭ復調器によりＶＣＯロックさせる。ＦＭ復調器によるＶＣＯロック範囲は、適用されるＴＶ音声規格に従って、制御ロジックにより選択する。狭帯域ＰＬＬベースのＦＭ復調器の入力は、ＦＭモノラル音声キャリア用の自動利得制御部（ＡＧＣ）を必要とする。このＡＧＣループは、ＡＧＣ検出器兼可変利得増幅器と関連してＦＭモノラル音声キャリアレベル検出により行う（ＦＭ ＰＬＬのロック用ＶＣＯを用いる同期検出器により行う）。この利得制御により、可変利得制御増幅器の出力は、モノラルＦＭ音声キャリア用の規定の目標レベルを提供する。例えば２キャリア音声方式又はＮＩＣＡＭ方式のために送信される他のキャリアレベルは、同一の利得変化量で変更する。それ故、これらのキャリアレベルは、ＦＭモノラル音声キャリアに対するレベル比に従って保持される。この可変利得制御増幅器の出力は、出力Ｂ用セレクタ３９に対して付加的に分岐する。従って、例えば２キャリア音声方式、ＮＩＣＡＭ及びＭＰＸのために、別々の外部デバイスを用いることにより高度なステレオ音声処理用の信号を出力することが可能である。
【００６８】
復調の場合には、利得制御したＦＭモノラル音声キャリアは、ブロック３２に含まれるＦＭ狭帯域ＰＬＬ（位相ロックループ）復調器に通過させる。復調して増幅したＦＭ音声信号出力は、音声・雑音処理回路４５に供給する。その音声・雑音処理は、切換可能な機能を有する。この機能がスイッチオフされる場合（バイパス）、音声信号を音声出力用バッファ４４に直接通過させる。それは、外部コンデンサ５２を用いることにより切り換え可能なデエンファシスを付加的に提供することになる。その雑音処理をスイッチオンする場合、雑音検出器により利得及び帯域幅について音声信号を制御する。弱信号下で雑音が検出される場合、雑音レベルに依存して、音声の利得及び帯域幅を低減させる。この機能は特に車両用ＴＶ受信又はＦＭラジオに必要となる。
【００６９】
モノラルＴＶ音声用のＡＭ変調を用いるアナログＴＶ規格の場合には、ＡＭ音声キャリアはイメージ除去フィルタ２２、統合バンドパスフィルタ３６又は外部音声バンドパスフィルタ３４によって提供されるキャリア選択性の利点の全てを用いて、ＦＭ音声キャリアと同様に基本的に処理する。しかしながら、異なる自動利得制御部が用いる。利得制御は、平均キャリアレベルに関連付ける必要があるとともに、ＡＭ音声自身によって引き起こされるキャリア変化による相互作用を防ぐ必要があり、そして最低可聴周波数より低くする必要がある。それ故、ＡＭ音声キャリアは、モノラル音声入力セレクタ３３を通過し、ブロック３２に含まれるモノラル音声復調器にも供給する。ブロック３２のモノラル音声復調器内では、ＡＭキャリアは、可変利得増幅器を用いずに、ＡＭモノラル音声復調器に固定利得で直接供給する。復調した音声はキャリア振幅から取り出され、このキャリア振幅信号を、ＳＩＦ ＡＧＣ回路７に供給する。ＡＭ音声振幅制御の場合には、ＳＩＦ ＡＧＣ回路７は、規定の目標ＡＭ音声振幅に達するまで、可変利得増幅器６ａの利得を変更する。復調したＡＭ音声信号は、残余の高周波数信号を除去するためのローパスフィルタリングも提供する音声出力用バッファ４４に供給する。ＡＭ音声復調に依存して、第２音声インターキャリア信号のＮＩＣＡＭキャリアを、出力スイッチ３９を介して出力Ｂ用バッファ４３に供給する。それは、別々の外部デバイスを用いて高度の音声処理（ＮＩＣＡＭの復号化）を可能とする。
【００７０】
ディジタルビデオ放送の場合には、ＤＶＢ信号はＳＩＦ／ＤＩＦ／ＦＭラジオ・スイッチ４により選択する。その選択は、ＩＳＤＢ方式（日本）又はＡＴＳＣ方式（ＵＳＡ、韓国）に用いられる６ＭＨｚ帯域幅ＳＡＷフィルタ２、又は欧州のＤＶＢ方式に関する８ＭＨｚ帯域幅ＳＡＷフィルタ３のいずれかである。このアーキテクチャの統合フィルタリングを用いること、又はチャネル復号化の統合フィルタリングを用いることは、７ＭＨｚ方式帯域幅の場合にＤＶＢ規格の８ＭＨｚ帯域幅入力を用いることも可能とする。
【００７１】
可変利得増幅器６ａは、入力ＤＶＢ信号を増幅し、その増幅器の利得制御はチャネル復号化に用いられる外部デバイス（図示せず）により生成される制御信号により行う。チャネル復号化に用いられる外部デバイスにより供給される制御信号の入力電圧は、ＳＩＦ ＡＧＣ回路７の外部入力に供給する。可変利得増幅器６ａの出力は、周波数変換のための乗算器回路１９に供給するか又は、出力Ａ用信号セレクタ３８の入力に直接供給する。
【００７２】
可変利得増幅器６ａの出力信号を、チャネル復号化のための３つの異なるモードで処理することができる。それら異なるモードは、異なるチャネル復号器により用いられる全ての信号インタフェースをカバーするように設けられる。
【００７３】
フィルタリングした入力スペクトラムの周波数変換を用いないチャネル復号器の場合には、可変利得増幅器６ａからの出力信号は、出力Ａ用信号セレクタ３８を介して供給する。ロジック制御（図示せず）により、信号を出力Ａ用バッファ４２の差動出力Ａポートに切り換える。この直接的な増幅の周波数範囲は、６０ＭＨｚまで動作させることができるように、その業界に用いられるＤＶＢ規格の全ての周波数範囲に適合させる。
【００７４】
周波数変換を用いる別のモードを、低中間周波数（ｌｏｗＩＦ）入力スペクトラムを許容できるチャネル復号器に利用可能である。この周波数変換は、統合バンドパスフィルタリング及びイメージ除去処理と組み合わせて、高性能化に適したモードとなる。更に、低ＩＦ出力信号は、容量性負荷及び伝導妨害に対して低感度である。従って、例えばＤＶＢ−Ｔ（Ｔ＝テレストリアル）及びＤＶＢ−Ｃ（Ｃ＝ケーブル）用のチャネル復号器を並列に用いるアプリケーションを、異なる出力Ｂポートを有する低ＩＦ出力Ｂ用バッファ４３に接続される分岐した（及び長い）信号トラックで、容易に用いることができる。
【００７５】
低ＩＦ処理の場合には、可変利得増幅器６ａの出力信号を乗算器回路１９に供給する。
【００７６】
供給される（ディジタル中間周波数）ＤＩＦ入力信号は、シンセサイザ兼ＶＣＯ２信号回路２１のＶＣＯ２信号で多重化する。従って、ＱＳＳ／ＴＳＳスイッチ２０は、ＶＣＯ２信号の使用のために選択する。
【００７７】
回路１９の第１乗算器は、ＶＣＯ２信号を用い、回路１９の第２乗算器は、９０°位相シフトしたＶＣＯ２信号を用いる。ＶＣＯ１の０°及び９０°を有するＶＩＦ復調部の出力に従って、復調器回路１９からの出力信号は、それぞれＩ及びＱ出力信号と称される。これらＩ／Ｑ出力信号を、イメージ除去フィルタ２２に供給し、受動の多層フィルタリングにより処理する。側波帯選択スイッチ（図示せず）から供給される入力信号４０は、乗算器回路１９のＱ出力の極性の反転を随意制御することができる。この側波帯選択スイッチ信号入力４０に依存して、イメージ除去フィルタ２２は、乗算器回路１９からの出力信号を通過させ、又は除去する。その出力信号はＶＣＯ２周波数以上の信号であるか、又はその逆の信号である。ＤＶＢの低ＩＦ変換の場合には、好適な動作は、ＶＣＯ２の下方の入力スペクトラムを用いることであり、従ってＱ出力極性は、ＤＩＦ入力信号をＶＣＯ２周波数の下方に抑制するように選択する。
【００７８】
更に、ＶＣＯ２周波数とＤＩＦ入力中心周波数との関係は、入力帯域幅＋１ＭＨｚで停止する間差として選択する。従って、低ＩＦスペクトラムは、１ＭＨｚで開始して、１ＭＨｚ＋ＤＩＦ帯域幅で終了する。例えば、欧州のＤＶＢ−Ｔの場合には（８ＭＨｚの帯域幅で伝送される）、低ＩＦスペクトラムは１ＭＨｚで開始して、９ＭＨｚで終了する。このスペクトラムの更なるチャネル選択性の場合には、多層バンドパスフィルタを用いる。
【００７９】
それ故、イメージ除去フィルタ２２の出力信号は、フィルタ入力スイッチ３０及び３１を介して多層バンドパスフィルタ３６に通過させる。ＤＶＢ低ＩＦの場合には、このバンドパスフィルタは、ＬＩＦ ＰＰ ＢＢ（低ＩＦ多層バンドパス）モードで動作し、受信したＤＶＢ帯域幅に従って帯域通過特性を提供する。従って、この帯域通過の帯域幅は、６ＭＨｚ、７ＭＨｚ又は８ＭＨｚである。ＤＶＢ規格に関連するロジックスイッチ（図示せず）は、その帯域幅を制御する。また、シンセサイザ兼ＶＣＯ３回路２６からの基準周波数シンセサイザ信号を供給し、帯域通過の中心周波数を必要とされる確度でチューニングする。バンドパスフィルタ３６の出力信号は、出力Ｂ用セレクタ３９を介して信号出力用の出力Ｂ用バッファ４３に供給される。
【００８０】
ゼロＩＦ処理の場合には、その信号処理は乗算器回路１９に提供され、低ＩＦの場合と同様に処理する。しかしながら、ＶＣＯ２周波数は入力信号の中心周波数に設定する。同相直交出力信号は、フィルタ入力スイッチ３０及び３１を介して直接バンドパスフィルタ３６に供給する。このフィルタ３６は、低域通過モードにおけるゼロＩＦとして動作する。特性上整合させているＩチャネル及びＱチャネルの各々に１つの低域通過がある。低域通過の帯域幅は、ＤＶＢ帯域幅の半分に適合させる。ロジックスイッチ（図示せず）の制御により、その帯域幅は、６ＭＨｚ、７ＭＨｚ及び８ＭＨｚの対応する帯域幅に対して、３ＭＨｚ、３．５ＭＨｚ又は４ＭＨｚである。出力Ａ用セレクタ３８及び出力Ｂ用セレクタ３９を介して、ローパスフィルタリングしたＩ信号及びＱ信号は、Ｉ入力及びＱ入力を有するチャネル復号器（図示せず）に出力するために、出力用バッファ４２及び４３に供給する。
【００８１】
完全なＴＶセットアプリケーションでは、前述したデバイスの出力信号は、アナログＴＶ伝送又はＤＶＢ伝送を識別するように用いられ、チューナは、要求される入力周波数に設定するように用いる。このため、“デュアルモード”を提供する。このモードは、ＤＶＢ（増幅器６ａで開始する信号処理）及びアナログＴＶ（増幅器６ｂで開始する信号処理）に利用可能な２つの信号チェーンを使用する。この信号処理の結果として、映像出力用バッファ４６でアナログ伝送チャネルの存在の故に合成映像ブランキング信号（ＣＶＢＳ）を利用可能とし、又は、出力用バッファ４２及び／又は４３で有用なＤＶＢ信号（ＤＶＢモードのＬＩＦ（低中間周波数）／ＺＩＦ（ゼロ中間周波数）／直接的な増幅に依存する）を利用可能とする。伝送方式の識別―アナログＴＶ又はＤＶＢ−の後に、デュアルモードをスイッチオフして、識別した伝送方式に従って動作モードを選択する。
【００８２】
ローカルに受信したＴＶチャネルを保持するエンドユーザ側で、ＴＶ設定を高速セットアップする利点として“デュアルモード”を用いることができる。このモードが無い場合には、ＴＶバンドスキャンは２回行なわれていたためである（即ち、或るスキャンはアナログ伝送チャネルを検出するためであり、別のスキャンはＤＶＢ伝送を検出するためである）。
【００８３】
本発明を図面に示される例を参照して説明したが、本発明はそれに制限するものではなく、添付した請求の範囲内で多くの方法にて変形することができることは明らかである。
【００８４】
本発明を好適な例を参照して説明したが、本発明はそれに制限するものではなく、添付した請求の範囲内で多くの方法にて変形することができることは明らかである。
【図面の簡単な説明】
【００８５】
【図１】慣例の中間周波処理装置の概略的な基本ブロックを示す図である。
【図２】本発明の好適な実施例による中間周波処理装置の概略的な基本ブロック図である。
【図３】図２の装置の集積回路の実現例をより詳細に示す図である。
【図１】
2008529397.tif 000003
【図２】
2008529397.tif 000004
【図３】
2008529397.tif 000005
【国際調査報告】
2008529397.tif 000006
2008529397.tif 000007